(57)【要約】  イーサネット（登録商標）／トランスポートマルチプロトコルラベルスイッチハイブリッドネットワークにおいて、運用、管理および保守フレームを作成するための方法。この方法は、第１のイーサネット（登録商標）運用、管理および保守フレーム（イーサネット（登録商標）ＯＡＭフレーム１５０）内のプロトコルデータユニット（ＰＤＵ４１０）内のイーサネット（登録商標）運用、管理および保守データフィールド４４５内の値を第１のトランスポートマルチプロトコルラベルスイッチ運用、管理および保守フレーム（ＴＭＰＬＳ  ＯＡＭフレーム１５５）内のＰＤＵ４６０内のトランスポートマルチプロトコルラベルスイッチ運用、管理および保守データフィールド４９８にマッピングすることと、第１のイーサネット（登録商標）ＯＡＭフレーム１５０内の第１の制御パラメータフィールド４０１内の値を第１のＴＭＰＬＳ  ＯＡＭフレーム１５５内の第２の制御パラメータフィールド４０２にマッピングすることとを含む。
2010514368.tif 000002
【特許請求の範囲】
【請求項１】
イーサネット（登録商標）／トランスポートマルチプロトコルラベルスイッチハイブリッドネットワークにおいて運用、管理および保守フレームを作成するための方法であって、
第１のイーサネット（登録商標）運用、管理および保守フレーム（イーサネット（登録商標）ＯＡＭフレーム）内のプロトコルデータユニット（ＰＤＵ）内のイーサネット（登録商標）運用、管理および保守データフィールド内の値を第１のトランスポートマルチプロトコルラベルスイッチ運用、管理および保守フレーム（ＴＭＰＬＳ  ＯＡＭフレーム）内のＰＤＵ内のトランスポートマルチプロトコルラベルスイッチ運用、管理および保守データフィールド（ＴＭＰＬＳ  ＯＡＭデータフィールド）にマッピングすることと、
第１のイーサネット（登録商標）ＯＡＭフレーム内の第１の制御パラメータフィールド内の値を第１のＴＭＰＬＳ  ＯＡＭフレーム内の第２の制御パラメータフィールドにマッピングすることとを備え、第１のＴＭＰＬＳ  ＯＡＭフレーム内のＰＤＵが、必要に応じて、追加された特別フィールドを備え、第２の制御パラメータフィールドが、メモリ内に格納された値からマッピングされた、事前に選択されたデフォルト情報および経路選択情報をさらに備える、方法。
【請求項２】
第１のイーサネット（登録商標）ＯＡＭフレーム内の第１の制御パラメータフィールドが、宛先アドレスフィールドと、発信源アドレスフィールドと、イーサタイプラベルフィールドと、ＶＬＡＮラベルフィールドと、オペレーションコードフィールドと、イーサネット（登録商標）メンテナンスエンティティレベルフィールドとを備え、
第１のＴＭＰＬＳ  ＯＡＭフレーム内の第２の制御パラメータフィールドが、トンネルラベルフィールドと、擬似ワイヤラベルフィールドと、タンデム接続ラベルフィールドと、ラベル１４フィールドと、機能タイプフィールドと、トランスポートマルチプロトコルラベルスイッチ運用、管理および保守メンテナンスエンティティレベルラベルフィールド（ＴＭＰＬＳ  ＯＡＭ  ＭＥＬラベルフィールド）と、特別トランスポートマルチプロトコルラベルスイッチ運用、管理および保守フィールド（特別ＴＭＰＬＳ  ＯＡＭフィールド）とを備え、
宛先アドレスフィールド内の値が、特別ＴＭＰＬＳ  ＯＡＭフィールドの一部にマッピングされ、
発信源アドレスフィールド内の値が、特別ＴＭＰＬＳ  ＯＡＭフィールドの別の部分にマッピングされ、
イーサタイプラベルフィールド内の値が、ラベル１４フィールドにマッピングされ、
ＶＬＡＮラベルフィールド内の値が、トンネルラベルフィールドおよび擬似ワイヤラベルフィールドにマッピングされ、
オペレーションコードフィールド内の値が、機能タイプフィールドにマッピングされ、
イーサネット（登録商標）メンテナンスエンティティレベルフィールド内の値が、タンデム接続ラベルフィールドにマッピングされ、
ＴＭＰＬＳ  ＯＡＭ  ＭＥＬラベルフィールド内の値が、「０００」に等しく設定される、
請求項１に記載の方法。
【請求項３】
マッピングステップがブリッジ内で実行され、ブリッジが、イーサネット（登録商標）ネットワークとトランスポートマルチプロトコルラベルスイッチングネットワーク（ＴＭＰＬＳネットワーク）を相互接続する、請求項１に記載の方法。
【請求項４】
第１のイーサネット（登録商標）ＯＡＭフレームが、イーサネット（登録商標）ネットワークを経由してイーサネット（登録商標）ノードからブリッジに送信され、第１のＴＭＰＬＳ  ＯＡＭフレームが、ＴＭＰＬＳネットワークを経由してブリッジからトランスポートマルチプロトコルラベルスイッチングノードに送信される、請求項３に記載の方法。
【請求項５】
第２のＴＭＰＬＳ  ＯＡＭ内のＰＤＵ内のＴＭＰＬＳ  ＯＡＭデータフィールド内の値を第２のイーサネット（登録商標）ＯＡＭフレーム内のＰＤＵ内のイーサネット（登録商標）運用、管理および保守データフィールドにマッピングすることと、
第２のＴＭＰＬＳ  ＯＡＭフレーム内の第３の制御パラメータフィールド内の値を第２のイーサネット（登録商標）ＯＡＭフレーム内の第４の制御パラメータフィールドにマッピングすることとをさらに備え、第２のイーサネット（登録商標）ＯＡＭフレーム内のＰＤＵが、必要に応じて、追加された特別フィールドを備え、第２のイーサネット（登録商標）ＯＡＭフレーム内の第４の制御パラメータフィールドが、メモリ内に格納された値からマッピングされた経路選択情報をさらに備える、
請求項１に記載の方法。
【請求項６】
第２のＴＭＰＬＳ  ＯＡＭフレーム内の第３の制御パラメータフィールドが、トンネルラベルフィールドと、擬似ワイヤラベルフィールドと、タンデム接続ラベルフィールドと、ラベル１４フィールドと、機能タイプフィールドと、トランスポートマルチプロトコルラベルスイッチ運用、管理および保守メンテナンスエンティティレベルラベルフィールドと、特別トランスポートマルチプロトコルラベルスイッチ運用、管理および保守フィールド（特別ＴＭＰＬＳ  ＯＡＭフィールド）とを備え、
第２のイーサネット（登録商標）ＯＡＭフレーム内の第４の制御パラメータフィールドが、宛先アドレスフィールドと、発信源アドレスフィールドと、イーサタイプラベルフィールドと、ＶＬＡＮラベルフィールドと、オペレーションコードフィールドと、イーサネット（登録商標）メンテナンスエンティティレベルフィールドとを備え、
第２のＴＭＰＬＳ  ＯＡＭフレーム内のトンネルラベルフィールド内および擬似ワイヤラベルフィールド内の値が、第２のＯＡＭフレーム内のＶＬＡＮラベルフィールドにマッピングされ、
第２のＴＭＰＬＳ  ＯＡＭフレーム内のタンデム接続ラベルフィールド内の値が、第２のイーサネット（登録商標）ＯＡＭフレーム内のイーサネット（登録商標）メンテナンスエンティティレベルフィールドにマッピングされ、
第２のＴＭＰＬＳ  ＯＡＭフレーム内のラベル１４フィールド内の値が、第２のイーサネット（登録商標）ＯＡＭフレーム内のイーサタイプラベルフィールドにマッピングされ、
第２のＴＭＰＬＳ  ＯＡＭフレーム内の機能タイプフィールド内の値が、第２のイーサネット（登録商標）ＯＡＭフレーム内のオペレーションコードフィールドにマッピングされ、
第２のＴＭＰＬＳ  ＯＡＭフレーム内の特別ＴＭＰＬＳ  ＯＡＭフィールドの一部内の値が、第２のイーサネット（登録商標）ＯＡＭフレーム内の宛先アドレスフィールドにマッピングされ、
第２のＴＭＰＬＳ  ＯＡＭフレーム内の特別ＴＭＰＬＳ  ＯＡＭフィールドの別の部分内の値が、第２のイーサネット（登録商標）ＯＡＭフレーム内の発信源アドレスフィールドにマッピングされる、
請求項５に記載の方法。
【請求項７】
マッピングステップがブリッジ内で実行され、ブリッジが、イーサネット（登録商標）ネットワークとトランスポートマルチプロトコルラベルスイッチングネットワーク（ＴＭＰＬＳネットワーク）を相互接続する、請求項５に記載の方法。
【請求項８】
第２のＴＭＰＬＳ  ＯＡＭフレームが、トランスポートマルチプロトコルラベルスイッチングネットワークを経由してＴＭＰＬＳノードからブリッジに送信され、第２のイーサネット（登録商標）ＯＡＭフレームが、イーサネット（登録商標）ネットワークを経由してブリッジからイーサネット（登録商標）ノードに送信される、請求項７に記載の方法。
【請求項９】
搬送波の形で具体化されたデータ信号であって、
トランスポートマルチプロトコルラベルスイッチ運用、管理および保守フレーム（ＴＭＰＬＳ  ＯＡＭフレーム）を備え、
トランスポートマルチプロトコルラベルスイッチ運用、管理および保守（ＴＭＰＬＳ  ＯＡＭ）フレーム内のプロトコルデータユニット（ＰＤＵ）内のＴＭＰＬＳ  ＯＡＭデータフィールドが、イーサネット（登録商標）運用、管理および保守フレーム（イーサネット（登録商標）ＯＡＭフレーム）内のＰＤＵ内のイーサネット（登録商標）運用、管理および保守データフィールドからマッピングされた値を備え、
ＴＭＰＬＳ  ＯＡＭフレーム内の第２の制御パラメータフィールドが、イーサネット（登録商標）ＯＡＭフレーム内の第１の制御パラメータフィールドからマッピングされた値を備え、
ＴＭＰＬＳ  ＯＡＭフレーム内のＰＤＵが、必要に応じて、追加された特別フィールドを備え、
第２の制御パラメータフィールドが、メモリ内に格納された値からマッピングされた、事前に選択されたデフォルト情報および経路選択情報をさらに備える、データ信号。
【請求項１０】
第１の制御パラメータフィールドが、宛先アドレスフィールドと、発信源アドレスフィールドと、イーサタイプラベルフィールドと、ＶＬＡＮラベルフィールドと、オペレーションコードフィールドと、イーサネット（登録商標）メンテナンスエンティティレベルフィールドとを備え、
第２の制御パラメータフィールドが、トンネルラベルフィールドと、擬似ワイヤラベルフィールドと、タンデム接続ラベルフィールドと、ラベル１４フィールドと、機能タイプフィールドと、トランスポートマルチプロトコルラベルスイッチ運用、管理および保守メンテナンスエンティティレベルラベルフィールド（ＴＭＰＬＳ  ＯＡＭ  ＭＥＬラベルフィールド）と、特別トランスポートマルチプロトコルラベルスイッチ運用、管理および保守フィールド（特別ＴＭＰＬＳ  ＯＡＭフィールド）とを備え、
特別ＴＭＰＬＳ  ＯＡＭフィールドの一部が、宛先アドレスフィールドからマッピングされた値を備え、
特別ＴＭＰＬＳ  ＯＡＭフィールドの別の部分が、発信源アドレスフィールドからマッピングされた値を備え、
ラベル１４フィールドが、イーサタイプラベルフィールドからマッピングされた値を備え、
トンネルラベルフィールドおよび擬似ワイヤラベルフィールドが、ＶＬＡＮラベルフィールドからマッピングされた値を備え、
機能タイプフィールドが、オペレーションコードフィールドからマッピングされた値を備え、
タンデム接続ラベルフィールドが、イーサネット（登録商標）メンテナンスエンティティレベルフィールドからマッピングされた値を備え、
ＴＭＰＬＳ  ＯＡＭ  ＭＥＬラベルフィールドが「０００」に等しく設定される、
請求項９に記載のデータ信号。
【請求項１１】
ＴＭＰＬＳ  ＯＡＭデータフィールド内および第２の制御パラメータフィールド内でマッピングされた値が、イーサネット（登録商標）ネットワークとトランスポートマルチプロトコルラベルスイッチングネットワーク（ＴＭＰＬＳネットワーク）を相互接続するブリッジ上で生成された値を備える、請求項９に記載のデータ信号。
【請求項１２】
生成された値が、イーサネット（登録商標）ネットワークを経由してイーサネット（登録商標）ノードからブリッジに送信されたイーサネット（登録商標）ＯＡＭフレームから獲得される、請求項１１に記載のデータ信号。
【請求項１３】
搬送波が、ＴＭＰＬＳネットワークを経由して、ブリッジからトランスポートマルチプロトコルラベルスイッチングノードに伝搬する、請求項１１に記載のデータ信号。
【請求項１４】
搬送波の形で具体化されたデータ信号であって、
イーサネット（登録商標）運用、管理および保守フレーム（イーサネット（登録商標）ＯＡＭフレーム）を備え、
イーサネット（登録商標）運用、管理および保守フレーム内のプロトコルデータユニット（ＰＤＵ）内のイーサネット（登録商標）ＯＡＭデータフィールドが、トランスポートマルチプロトコルラベルスイッチ運用、管理および保守フレーム（ＴＭＰＬＳ  ＯＡＭフレーム）内のＰＤＵ内のトランスポートマルチプロトコルラベルスイッチ運用、管理および保守データフィールドからマッピングされた値を備え、
イーサネット（登録商標）ＯＡＭフレーム内の第４の制御パラメータフィールドが、ＴＭＰＬＳ  ＯＡＭフレーム内の第３の制御パラメータフィールドからマッピングされた値を備え、
イーサネット（登録商標）ＯＡＭフレーム内のＰＤＵが、必要に応じて、追加された特別フィールドを備え、
第４の制御パラメータフィールドが、メモリ内に格納された値からマッピングされた経路選択情報をさらに備える、データ信号。
【請求項１５】
ＴＭＰＬＳ  ＯＡＭフレーム内の第３の制御パラメータフィールドが、トンネルラベルフィールドと、擬似ワイヤラベルフィールドと、タンデム接続ラベルフィールドと、ラベル１４フィールドと、機能タイプフィールドと、トランスポートマルチプロトコルラベルスイッチ運用、管理および保守メンテナンスエンティティレベルラベルフィールドと、特別トランスポートマルチプロトコルラベルスイッチ運用、管理および保守フィールド（特別ＴＭＰＬＳ  ＯＡＭフィールド）とを備え、
イーサネット（登録商標）ＯＡＭフレーム内の第４の制御パラメータフィールドが、宛先アドレスフィールドと、発信源アドレスフィールドと、イーサタイプラベルフィールドと、ＶＬＡＮラベルフィールドと、オペレーションコードフィールドと、イーサネット（登録商標）メンテナンスエンティティレベルフィールドとを備え、
ＶＬＡＮラベルフィールドが、トンネルラベルフィールドおよび擬似ワイヤラベルフィールドからマッピングされた値を備え、
イーサネット（登録商標）メンテナンスエンティティレベルフィールドが、タンデム接続ラベルフィールドからマッピングされた値を備え、
イーサタイプラベルフィールドが、ラベル１４フィールドからマッピングされた値を備え、
オペレーションコードフィールドが、機能タイプフィールドからマッピングされた値を備え、
宛先アドレスフィールドが、特別ＴＭＰＬＳ  ＯＡＭフィールドの一部からマッピングされた値を備え、
発信源アドレスフィールドが、特別ＴＭＰＬＳ  ＯＡＭフィールドの別の部分からマッピングされた値を備える、
請求項１４に記載のデータ信号。
【請求項１６】
イーサネット（登録商標）運用、管理および保守データフィールド内および第４の制御パラメータフィールド内でマッピングされた値が、イーサネット（登録商標）ネットワークとトランスポートマルチプロトコルラベルスイッチングネットワーク（ＴＭＰＬＳネットワーク）を相互接続するブリッジ上で生成された値を備える、請求項１４に記載のデータ信号。
【請求項１７】
生成された値が、トランスポートマルチプロトコルラベルスイッチングネットワークを経由してＴＭＰＬＳノードからブリッジに送信されたＴＭＰＬＳ  ＯＡＭフレームから獲得される、請求項１６に記載のデータ信号。
【請求項１８】
搬送波が、イーサネット（登録商標）ネットワークを経由して、ブリッジからイーサネット（登録商標）ノードに伝搬する、請求項１６に記載のデータ信号。
【発明の詳細な説明】
【技術分野】
【０００１】
本発明は、イーサネット（登録商標）／トランスポートマルチプロトコルラベルスイッチハイブリッドネットワークにおいて、運用、管理および保守フレームを作成するための方法に関する。
【背景技術】
【０００２】
現代の通信ネットワークは、コンピュータとその他の電子デバイスの間の情報交換を可能にする。情報の効率的かつ正確な転送を可能にするために、一般に、通信の特性およびネットワーク自体の特性を特定する、プロトコルと呼ばれる、ネットワーク固有の規則が定義される。送受信デバイスおよび任意の中間デバイスは両方とも、これらの規則を認識し、これらの規則に従う。
【０００３】
イーサネット（登録商標）は、多くの場合、ローカルエリアネットワーク（ＬＡＮ）に関して使用される、フレームベースのコンピュータネットワーキング技術である。しかし、パフォーマンスの理由、歴史的な理由、およびその他の理由で、マルチプロトコルラベルスイッチング（ＭＰＬＳ）ネットワーク、ＩＰ（インターネットプロトコル）ネットワーク、非同期転送モード（ＡＴＭ）ネットワーク、およびその他のネットワークなどのネットワークも数多く見られる。近年、トランスポートマルチプロトコルラベルスイッチング（トランスポートＭＰＬＳ、ＴＭＰＬＳ）と呼ばれる、新しいタイプのネットワーク技術が、現在考慮中の当該ネットワーク技術に関する規格とともに開発されている。トランスポートＭＰＬＳの目的は、ＭＰＬＳネットワーク上で構築し、トランスポートＭＰＬＳをキャリアグレード（ｃａｒｒｉｅｒ  ｇｒａｄｅ）、すなわち、より確実にすることである。
【発明の概要】
【発明が解決しようとする課題】
【０００４】
イーサネット（登録商標）ネットワークとトランスポートＭＰＬＳネットワークを一緒に相互接続する必要がある事態が発生する可能性がある。かかるハイブリッドネットワークを効果的に保持するためには、関係する異なるサブネットワーク同士の間の運用、管理、および保守（ｏｐｅｒａｔｉｏｎ，ａｄｍｉｎｉｓｔｒａｔｉｏｎ，ａｎｄ  ｍａｉｎｔｅｎａｎｃｅ）（ＯＡＭ）情報を含めて、様々な情報を伝えることが必要になる。
【課題を解決するための手段】
【０００５】
代表的な実施形態では、イーサネット（登録商標）／トランスポートマルチプロトコルラベルスイッチハイブリッドネットワークにおいて運用、管理および保守フレームを作成するための方法が開示される。この方法は、第１のイーサネット（登録商標）運用、管理および保守フレーム（イーサネット（登録商標）ＯＡＭフレーム）内のプロトコルデータユニット（ＰＤＵ）内のイーサネット（登録商標）運用、管理および保守データフィールド内の値を第１のトランスポートマルチプロトコルラベルスイッチ運用、管理および保守フレーム（ＴＭＰＬＳ  ＯＡＭフレーム）内のＰＤＵ内のトランスポートマルチプロトコルラベルスイッチ運用、管理および保守データフィールドにマッピングすることと、第１のイーサネット（登録商標）ＯＡＭフレーム内の第１の制御パラメータフィールド内の値を第１のＴＭＰＬＳ  ＯＡＭフレーム内の第２の制御パラメータフィールドにマッピングすることとを備える。第１のＴＭＰＬＳ  ＯＡＭフレーム内のＰＤＵは、必要に応じて、追加された特別フィールドを備え、第２の制御パラメータフィールドは、メモリ内に格納された値からマッピングされた、事前に選択されたデフォルト情報および経路選択情報をさらに備える。
【０００６】
もう１つの代表的な実施形態では、搬送波の形で具体化されるデータ信号が開示される。このデータ信号は、トランスポートマルチプロトコルラベルスイッチ運用、管理および保守フレーム（ＴＭＰＬＳ  ＯＡＭフレーム）を備える。トランスポートマルチプロトコルラベルスイッチ運用、管理および保守フレーム内のプロトコルデータユニット（ＰＤＵ）内のＴＭＰＬＳ  ＯＡＭデータフィールドは、イーサネット（登録商標）運用、管理および保守フレーム（イーサネット（登録商標）ＯＡＭフレーム）内のＰＤＵ内のイーサネット（登録商標）運用、管理および保守データフィールドからマッピングされた値を備え、ＴＭＰＬＳ  ＯＡＭフレーム内の第２の制御パラメータフィールドは、イーサネット（登録商標）ＯＡＭフレーム内の第１の制御パラメータフィールドからマッピングされた値を備え、ＴＭＰＬＳ  ＯＡＭフレーム内のＰＤＵは、必要に応じて、追加された特別フィールドを備え、第２の制御パラメータフィールドは、メモリ内に格納された値からマッピングされた、事前に選択されたデフォルト情報および経路選択情報をさらに備える。
【０００７】
さらにもう１つの代表的な実施形態では、搬送波の形で具体化されるデータ信号が開示される。このデータ信号は、イーサネット（登録商標）運用、管理および保守フレーム（イーサネット（登録商標）ＯＡＭフレーム）を備える。イーサネット（登録商標）運用、管理および保守フレーム内のプロトコルデータユニット（ＰＤＵ）内のイーサネット（登録商標）ＯＡＭデータフィールドは、トランスポートマルチプロトコルラベルスイッチ運用、管理および保守フレーム（ＴＭＰＬＳ  ＯＡＭフレーム）内のトランスポートマルチプロトコルラベルスイッチ運用、管理および保守ＰＤＵからマッピングされた値を備え、イーサネット（登録商標）ＯＡＭフレーム内の第４の制御パラメータフィールドは、ＴＭＰＬＳ  ＯＡＭフレーム内の第３の制御パラメータフィールドからマッピングされた値を備え、イーサネット（登録商標）ＯＡＭフレーム内のＰＤＵは、必要に応じて、追加された特別フィールドを備え、第４の制御パラメータフィールドは、メモリ内に格納された値からマッピングされた経路選択情報をさらに備える。
【０００８】
本明細書で提示される代表的な実施形態のその他の態様および利点は、添付の図面と共に、以下の詳細な説明から明らかになるであろう。
【０００９】
添付の図面は、様々な代表的な実施形態をより完全に説明するために使用され、かつ当業者が開示される代表的な実施形態およびその固有の利点をよりよく理解するために使用され得る視覚的な表示を提供する。これらの図面において、類似の参照番号は対応する要素を識別する。
【図面の簡単な説明】
【００１０】
【図１】様々な代表的な実施形態において説明されるイーサネット（登録商標）／トランスポートマルチプロトコルラベルスイッチングハイブリッドネットワークのブロック図である。
【図２】図１のイーサネット（登録商標）／トランスポートマルチプロトコルラベルスイッチングハイブリッドネットワークのより詳細なブロック図である。
【図３】図２の連携機能モジュールのブロック図である。
【図４】図３の第１の論理モジュールによって変換された、第１のイーサネット（登録商標）運用、管理および保守フレームならびに第１のトランスポートマルチプロトコルラベルスイッチング運用、管理および保守フレームのブロック図である。
【図５】図３の第２の論理モジュールによって変換された、第２のトランスポートマルチプロトコルラベルスイッチ運用、管理および保守フレームならびに第２のイーサネット（登録商標）運用、管理および保守フレームのブロック図である。
【図６】図１および図２のイーサネット（登録商標）／トランスポートマルチプロトコルラベルスイッチハイブリッドネットワークにおいて、運用、管理および保守フレームをイーサネット（登録商標）ノードからトランスポートマルチプロトコルラベルスイッチノードにトランスポートするための方法の流れ図である。
【図７】図６のマッピングステップに関する方法のより詳細な流れ図である。
【図８】図１および図２のイーサネット（登録商標）／トランスポートマルチプロトコルラベルスイッチハイブリッドネットワークにおいて、運用、管理および保守フレームをトランスポートマルチプロトコルラベルスイッチノードからイーサネット（登録商標）ノードにトランスポートするための方法の流れ図である。
【図９】図８のマッピングステップに関する方法のより詳細な流れ図である。
【発明を実施するための形態】
【００１１】
例示の目的で図面に示すように、ハイブリッドイーサネット（登録商標）ネットワークおよびトランスポートマルチプロトコルラベルスイッチング（トランスポートＭＰＬＳ、ＴＭＰＬＳ）ネットワークのための連携機能モジュールに関する新規性のある技法が本明細書で開示される。
【００１２】
イーサネット（登録商標）ネットワークおよびトランスポートＭＰＬＳネットワークを一緒に相互接続する必要がある事態が発生する可能性がある。かかるハイブリッドネットワークを効果的に保持するためには、関係する異なるサブネットワーク同士の間の運用、管理、および保守（ＯＡＭ）情報を含めて、様々な情報を伝えることが必要になる。ＴＭＰＬＳ運用、管理および保守（ＯＡＭ）プロトコルデータユニット（ＰＤＵ）をイーサネット（登録商標）ＯＡＭ  ＰＤＵと連携させるための既存の解決法は存在しない。ハイブリッドネットワークの連携のその他の方法は、それぞれのＯＡＭフレームに関して状態機械が保持されることを要求する場合がある。
【００１３】
状態機械を保持すると同時に、様々な種類の情報をメモリ内に維持する必要がある。それぞれのＯＡＭフレームに関する発信源アドレスおよび宛先アドレス、ＯＡＭフレームが到着した時間、フレームが到着したポート、フレームが到着したシーケンス番号などを維持することが必要な場合がある。状態機械を保持することは大量のメモリを要求し、かかる状態機械の使用は、状態機械内の情報にアクセスするためおよびＯＡＭフレームの受信時／送信時に当該情報を更新するために要求される追加の時間により、運用、管理および保守情報の転送を減速させる。それぞれのＯＡＭフレームに関して状態機械が保持される場合、大量の処理リソースおよび記憶リソースが要求される。結果として、状態機械の使用は、ネットワークコストを増大させ、そのパフォーマンスを低下させる。
【００１４】
一方、代表的な実施形態では、本明細書で開示される連携機能モジュールは、非常にわずかなメモリを消費し、状態機械のメモリよりもかなり高速である。特定のＯＡＭフレームに関する情報はメモリ内に維持されない。連携機能モジュールは、ＴＭＰＬＳ経路選択ラベルをＶＬＡＮラベルフィールドにマッピングし、その逆も行うために、メモリ内の表またはその他のデータ構造を単に維持する。ＯＡＭフレームが受信されるとき、連携機能モジュールは、受信されたフレーム内の様々なパラメータを識別して、それらのパラメータを送信されることになるフレーム内の適切なパラメータに適切にマッピングし、次いで、マッピングされたパラメータを用いてフレームを送信する。これは、わずかなメモリを消費する、比較的高速のプロセスである。本明細書で使用される場合、任意の所与のパラメータを発信源イーサネット（登録商標）ＯＡＭフレームから目標ＴＭＰＬＳ  ＯＡＭフレームにマッピングすること、またはその逆を行うことは、発信源パラメータから目標パラメータに「正確な値」を挿入すること、ならびに目標パラメータに発信源パラメータに関する「均等値」を挿入することを含む。
【００１５】
以下の詳細な説明および図面のいくつかの図において、類似の要素は類似の参照番号を用いて識別される。
【００１６】
図１は、様々な代表的な実施形態において説明されるイーサネット（登録商標）／トランスポートマルチプロトコルラベルスイッチングハイブリッドネットワーク１００のブロック図である。イーサネット（登録商標）／トランスポートマルチプロトコルラベルスイッチングハイブリッドネットワーク１００は、本明細書において、イーサネット（登録商標）／ＴＭＰＬＳハイブリッドネットワーク１００、およびハイブリッドネットワーク１００と呼ばれる場合もある。図１の代表的な実施形態では、イーサネット（登録商標）／ＴＭＰＬＳハイブリッドネットワーク１００は、イーサネット（登録商標）ネットワーク１０５と、トランスポートマルチプロトコルラベルスイッチングネットワーク１１０と、ブリッジ１１５とを備える。トランスポートマルチプロトコルラベルスイッチングネットワーク１１０は、本明細書で、ＴＭＰＬＳネットワーク１１０と呼ばれる場合もある。ブリッジ１１５は、第１の通信媒体１２０を経由してイーサネット（登録商標）ネットワーク１０５と通信し、第２の通信媒体１２５を経由してＴＭＰＬＳネットワーク１１０と通信する。イーサネット（登録商標）ネットワーク１０５は、第３の通信媒体１３５を経由してイーサネット（登録商標）ノード１３０とも通信し、ＴＭＰＬＳネットワーク１１０は、第４の通信媒体１４５を経由して、トランスポートマルチプロトコルラベルスイッチングノード１４０とも通信する。トランスポートマルチプロトコルラベルスイッチングノード１４０は、本明細書において、ＴＭＰＬＳノード１４０と呼ばれる場合もある。
【００１７】
ハイブリッドネットワーク１００の運用およびメンテナンスの必要に応じて、イーサネット（登録商標）ノード１３０は、イーサネット（登録商標）ネットワーク１０５を介したトランスポートの後で、ブリッジ１１５によって受信される第１のイーサネット（登録商標）運用、管理および保守フレーム１５０を送信する。イーサネット（登録商標）ネットワーク１０５を介したトランスポートの場合、イーサネット（登録商標）運用、管理および保守フレーム１５０は、第１の搬送波１７０の形で具体化される。図３および後続の図面の説明においてさらに開示されるように、第１のイーサネット（登録商標）運用、管理および保守フレーム１５０は、ブリッジ１１５内の第１のトランスポートマルチプロトコルラベルスイッチ運用、管理および保守フレーム１５５にマッピングされる。第１のトランスポートマルチプロトコルラベルスイッチ運用、管理および保守フレーム１５５は、後で、ＴＭＰＬＳネットワーク１１０を介したトランスポートの後でＴＭＰＬＳノード１４０によって受信される。ＴＭＰＬＳネットワーク１１０を介したトランスポートの場合、第１のトランスポートマルチプロトコルラベルスイッチ運用、管理および保守フレーム１５５は、第２の搬送波１７５の形で具体化される。
【００１８】
第１のイーサネット（登録商標）運用、管理および保守フレーム１５０は、本明細書において、第１のイーサネット（登録商標）ＯＡＭフレーム１５０と呼ばれる場合もある。第１のトランスポートマルチプロトコルラベルスイッチ運用、管理および保守フレーム１５５は、本明細書において、第１のＴＭＰＬＳ  ＯＡＭフレーム１５５と呼ばれる場合もある。
【００１９】
ハイブリッドネットワーク１００の運用およびメンテナンスの必要に応じて、ＴＭＰＬＳノード１４０は、ＴＭＰＬＳネットワーク１１０を介したトランスポートの後で、ブジッリ１１５によって受信される、第２のトランスポートマルチプロトコルラベルスイッチ運用、管理および保守フレーム１６０を送信する。ＴＭＰＬＳネットワーク１１０を介したトランスポートの場合、第２のトランスポートマルチプロトコルラベルスイッチ運用、管理および保守フレーム１６０は、第３の搬送波１８０の形で具体化される。図３および後続の図面の説明においてさらに開示されるように、第２のトランスポートマルチプロトコルラベルスイッチ運用、管理および保守フレーム１６０は、ブリッジ１１５内の第２のイーサネット（登録商標）運用、管理および保守フレーム１６５にマッピングされる。第２のイーサネット（登録商標）運用、管理および保守フレーム１６５は、後で、イーサネット（登録商標）ネットワーク１０５を介したトランスポートの後でイーサネット（登録商標）ノード１３０によって受信される。イーサネット（登録商標）ネットワーク１０５を介したトランスポートの場合、イーサネット（登録商標）運用、管理および保守フレーム１５０は、第４の搬送波１８５の形で具体化される。
【００２０】
第２のトランスポートマルチプロトコルラベルスイッチ運用、管理および保守フレーム１６０は、本明細書において、第２のＴＭＰＬＳ  ＯＡＭフレーム１６０と呼ばれる場合もある。第２のイーサネット（登録商標）運用、管理および保守フレーム１６５は、本明細書において、第２のイーサネット（登録商標）ＯＡＭフレーム１６５と呼ばれる場合もある。
【００２１】
まさに説明されたように、図１は２つの状態を例示する。これらの状態のうちの第１の状態は、イーサネット（登録商標）ネットワーク１０５上に配置されたイーサネット（登録商標）ノード１３０が、例えば、連続性検査メッセージまたはループバックメッセージであり得るメッセージをＴＭＰＬＳネットワーク１１０内に配置された目標ＴＭＰＬＳノード１４０に送信する場合に発生する。しかし、イーサネット（登録商標）ノード１３０からのメッセージは、図１に示される以外のＴＭＰＬＳネットワーク１１０上の別のメンテナンス関連終点（ｍａｉｎｔｅｎａｎｃｅ  ａｓｓｏｃｉａｔｉｏｎ  ｅｎｄ  ｐｏｉｎｔ）（ＭＥＰ）またはＴＭＰＬＳネットワーク１１０上の別のブリッジなど、メンテナンス関連中間点（ｍａｉｎｔｅｎａｎｃｅ  ａｓｓｏｃｉａｔｉｏｎ  ｉｎｔｅｒｍｅｄｉａｔｅ  ｐｏｉｎｔ）（ＭＩＰ）を対象とする場合もある。第２の状態は、ＴＭＰＬＳネットワーク１１０内に配置されたＴＭＰＬＳノード１４０が、例えば、連続性検査メッセージまたはループバックメッセージであり得るメッセージをイーサネット（登録商標）ネットワーク１０５上に配置された目標イーサネット（登録商標）ノード１３０に送る場合に発生する。しかし、ＴＭＰＬＳノード１４０からのメッセージは、図１に示される以外のイーサネット（登録商標）ネットワーク１０５上の別のメンテナンス関連終点（ＭＥＰ）またはイーサネット（登録商標）ネットワーク１０５上の別のブリッジなど、メンテナンス関連中間点（ＭＩＰ）を対象とする場合もある。
【００２２】
図２は、図１のイーサネット（登録商標）／トランスポートマルチプロトコルラベルスイッチングハイブリッドネットワーク１００のより詳細なブロック図である。図２の代表的な実施形態では、イーサネット（登録商標）ネットワーク１０５は、第１のイーサネット（登録商標）内部ネットワーク間（ｎｅｔｗｏｒｋ−ｔｏ−ｎｅｔｗｏｒｋ）インターフェース２０５と、第２のイーサネット（登録商標）内部ネットワーク間インターフェース２１０と、イーサネット（登録商標）信号伝送媒体２１５とを備える。第１のイーサネット（登録商標）内部ネットワーク間インターフェース２０５は、本明細書において、第１のイーサネット（登録商標）Ｉ−ＮＮＩ２０５と呼ばれる場合もあり、第２のイーサネット（登録商標）内部ネットワーク間インターフェース２１０は、本明細書において、第２のイーサネット（登録商標）Ｉ−ＮＮＩ２１０と呼ばれる場合もある。
【００２３】
また、ＴＭＰＬＳネットワーク１１０は、第１のトランスポートマルチプロトコルラベルスイッチング内部ネットワーク間インターフェース２２０と、第２のトランスポートマルチプロトコルラベルスイッチング内部ネットワーク間インターフェース２２５と、トランスポートマルチプロトコルラベルスイッチング信号伝送媒体２３０とを備える。第１のトランスポートマルチプロトコルラベルスイッチング内部ネットワーク間インターフェース２２０は、本明細書において、第１のＴＭＰＬＳ  Ｉ−ＮＮＩ２２０と呼ばれる場合もある。第２のトランスポートマルチプロトコルラベルスイッチング内部ネットワーク間インターフェース２２５は、本明細書において、第２のＴＭＰＬＳ  Ｉ−ＮＮＩ２２５と呼ばれる場合もある。トランスポートマルチプロトコルラベルスイッチング信号伝送媒体２３０は、本明細書において、ＴＭＰＬＳ信号伝送媒体２３０と呼ばれる場合もある。
【００２４】
さらに、ブリッジ１１５は、イーサネット（登録商標）外部ネットワーク間インターフェース２３５と、トランスポートマルチプロトコルラベルスイッチング外部ネットワーク間インターフェース２４０と、連携機能モジュール２４５と、メモリ２４７とを備える。メモリ２４７は、表、データベース、またはその他のデータ構造の中で保持され得る経路選択情報２４８と、様々なデータ構造のうちのいずれかの中で保持されることも可能なデフォルト情報２４９とを備える。イーサネット（登録商標）外部ネットワーク間インターフェース２３５は、本明細書において、イーサネット（登録商標）Ｅ−ＮＮＩ２３５と呼ばれる場合もある。トランスポートマルチプロトコルラベルスイッチング外部ネットワーク間インターフェース２４０は、本明細書において、ＴＭＰＬＳ  Ｅ−ＮＮＩ２４０と呼ばれる場合もある。連携機能モジュール２４５は、本明細書において、ＩＷＦモジュール２４５と呼ばれる場合もある。
【００２５】
連携機能モジュール２４５は、第５の通信媒体２５０を経由してイーサネット（登録商標）Ｅ−ＮＮＩ２３５と通信し、第６の通信媒体２５５を経由してＴＭＰＬＳ  Ｅ−ＮＮＩ２４０と通信する。図１の説明において言及された、第１の通信媒体１２０を経由したブリッジ１１５とイーサネット（登録商標）ネットワーク１０５の間の通信は、第１の通信媒体１２０を経由して、ブリッジ１１５内のイーサネット（登録商標）Ｅ−ＮＮＩ２３５と、イーサネット（登録商標）ネットワーク１０５内の第１のイーサネット（登録商標）Ｉ−ＮＮＩ２０５の間で発生する。図１の説明で言及された、第２の通信媒体１２５を経由したブリッジ１１５とＴＭＰＬＳネットワーク１１０の間の通信は、第２の通信媒体１２５を経由して、ブリッジ１１５内のＴＭＰＬＳ  Ｅ−ＮＮＩ２４０とＴＭＰＬＳネットワーク１１０内の第１のＴＭＰＬＳ  Ｉ−ＮＮＩ２２０の間で発生する。
【００２６】
イーサネット（登録商標）ノード１３０は、第１のデバイス２６２と、イーサネット（登録商標）ユーザ対ネットワークインターフェース２６５とを備える。イーサネット（登録商標）ユーザ対ネットワークインターフェース２６５は、本明細書において、イーサネット（登録商標）ＵＮＩ２６５と呼ばれる場合もある。図１の説明において言及された、第３の通信媒体１３５を経由したイーサネット（登録商標）ノード１３０とイーサネット（登録商標）ネットワーク１０５の間の通信は、第３の通信媒体１３５を経由して、イーサネット（登録商標）ノード１３０内のイーサネット（登録商標）ＵＮＩ２６５と、イーサネット（登録商標）ネットワーク１０５内の第２のイーサネット（登録商標）Ｉ−ＮＮＩ２１０の間で発生する。第１のデバイス２６２は、第７の通信媒体２７０を経由してイーサネット（登録商標）ＵＮＩ２６５と通信する。
【００２７】
ＴＭＰＬＳノード１４０は、第２のデバイス２８２と、トランスポートマルチプロトコルラベルスイッチングユーザ対ネットワークインターフェース２８５とを備える。トランスポートマルチプロトコルラベルスイッチングユーザ対ネットワークインターフェース２８５は、本明細書において、ＴＭＰＬＳ  ＵＮＩ２８５と呼ばれる場合もある。図１の説明において言及された、第４の通信媒体１４５を経由したＴＭＰＬＳノード１４０とＴＭＰＬＳネットワーク１１０の間の通信は、第３の通信媒体１３５を経由して、ＴＭＰＬＳノード１４０内のＴＭＰＬＳ  ＵＮＩ２８５と、ＴＭＰＬＳネットワーク１１０内の第２のＴＭＰＬＳ  Ｉ−ＮＮＩ２２５の間で発生する。第２のデバイス２８２は、第８の通信媒体２９０を経由してＴＭＰＬＳ  ＵＮＩ２８５と通信する。
【００２８】
図２の代表的な実施形態では、連携機能モジュール２４５は、送信されたそれぞれのＯＡＭフレームに関する状態情報または状態機械を維持する必要なしに、運用、管理および保守（ＯＡＭ）機能性を１つのネットワーク技術から別の技術に拡張する。連携機能モジュール２４５は、イーサネット（登録商標）ネットワークおよびＴＭＰＬＳネットワーク１０５、１１０の両方にサービス提供するプロバイダのための終端間ＯＡＭ機能性を可能にする。本明細書で開示される技法は、１つのメンテナンス関連レベル（すなわち、イーサネット（登録商標）ＯＡＭメッセージとＴＭＰＬＳ  ＯＡＭメッセージは同じレベルにある）だけに関連するイーサネット（登録商標）ＯＡＭフレームおよびＴＭＰＬＳ  ＯＡＭフレームだけを説明するが、これらの技法は、同じレベルだけを伴う状況に限定されない。連携機能モジュール２４５は、ＴＭＰＬＳ  ＯＡＭフレームをイーサネット（登録商標）ＯＡＭフレームに変換し、逆も同様である。
【００２９】
データＯＡＭフレームおよびカスタマＯＡＭフレームは、ネットワークを介してトンネリングされるため、連携変換はこれらのフレームに関して要求されない。ＯＡＭフレームがイーサネット（登録商標）ネットワークとＴＭＰＬＳネットワークの間を流れるとき、ＯＡＭフレームの形態は、そのフレームがトランスポートされる技術を反映するために変化する。加えて、連携機能モジュール２４５は、目標ネットワークが要求されるＯＡＭ活動に関する情報を取得するように、関連するフィールドを更新しかつ／または当該フィールドを発信源ＯＡＭ  ＰＤＵから目標ＯＡＭ  ＰＤＵに書き換える。これにより、ハイブリッドデータ経路に終端間ＯＡＭ機能性を提供することが可能である。連携機能モジュール２４５は、当該モジュールが処理したＯＡＭ  ＰＤＵの状態を維持する必要がない。連携機能モジュール２４５の役割は、ＯＡＭ機能性を１つのネットワーク技術（例えば、イーサネット（登録商標））から別の技術（例えば、ＴＭＰＬＳ）に拡張することである。この能力は、サービスプロバイダが、異なるネットワークプロトコルの全域で障害を監視、診断、およびローカライズすることを可能にする。したがって、ハイブリッド経路に沿って障害を診断およびローカライズするための終端間ＯＡＭ機能性を提供する必要が存在する。
【００３０】
ＯＡＭフレームが連続性検査のためにイーサネット（登録商標）ノード１３０からＴＭＰＬＳノード１４０に対して開始されると仮定すると、終端間接続性障害管理（ＣＦＭ）手順は、連携機能モジュール２４５を用いて以下のように機能する：（１）イーサネット（登録商標）ノード１３０は、イーサネット（登録商標）ネットワーク１０５上でのＴＭＰＬＳノード１４０への引渡しのために第１のイーサネット（登録商標）ＯＡＭフレーム１５０を開始する、（２）イーサネット（登録商標）ネットワーク１０５は第１のイーサネット（登録商標）ＯＡＭフレーム１５０をブリッジ１１５にトランスポートする、（３）ブリッジ１１５内に配置された連携機能モジュール２４５は第１のイーサネット（登録商標）ＯＡＭフレーム１５０を受信する、（４）連携機能モジュール２４５は、第１のイーサネット（登録商標）ＯＡＭフレーム１５０をＴＭＰＬＳネットワーク１１０対応型の第１のＴＭＰＬＳ  ＯＡＭフレーム１５５に変換する、（５）第１のＴＭＰＬＳ  ＯＡＭフレーム１５５がブリッジ１１５からＴＭＰＬＳネットワーク１１０に対して開始される、（６）ＴＭＰＬＳネットワーク１１０は、第１のＴＭＰＬＳ  ＯＡＭフレーム１５５をＴＭＰＬＳノード１４０にトランスポートする、（７）ＴＭＰＬＳネットワーク１１０上のＴＭＰＬＳノード１４０は、第１のＴＭＰＬＳ  ＯＡＭフレーム１５５を受信する、（８）ＴＭＰＬＳノード１４０は、第１のＴＭＰＬＳ  ＯＡＭフレーム１５５の命令に応答して、適切な活動を開始する。
【００３１】
ＯＡＭフレームが、ループバック試験のためにイーサネット（登録商標）ノード１３０からＴＭＰＬＳノード１４０に対して開始されると仮定すると、終端間接続性障害管理（ＣＦＭ）手順は、連携機能モジュール２４５を用いて以下のように機能する：（１）イーサネット（登録商標）ノード１３０は、イーサネット（登録商標）ネットワーク１０５上でのＴＭＰＬＳノード１４０への引渡しのために第１のイーサネット（登録商標）ＯＡＭフレーム１５０を開始する、（２）イーサネット（登録商標）ネットワーク１０５は、第１のイーサネット（登録商標）ＯＡＭフレーム１５０をブリッジ１１５にトランスポートする、（３）ブリッジ１１５内に配置された連携機能モジュール２４５は、第１のイーサネット（登録商標）ＯＡＭフレーム１５０を受信する、（４）連携機能モジュール２４５は、第１のイーサネット（登録商標）ＯＡＭフレーム１５０をＴＭＰＬＳネットワーク１１０対応型の第１のＴＭＰＬＳ  ＯＡＭフレーム１５５に変換する、（５）第１のＴＭＰＬＳ  ＯＡＭフレーム１５５がブリッジ１１５からＴＭＰＬＳネットワーク１１０に対して開始される、（６）ＴＭＰＬＳネットワーク１１０は、第１のＴＭＰＬＳ  ＯＡＭフレーム１５５をＴＭＰＬＳノード１４０にトランスポートする、（７）ＴＭＰＬＳネットワーク１１０上のＴＭＰＬＳノード１４０は、第１のＴＭＰＬＳ  ＯＡＭフレーム１５５を受信する、（８）ＴＭＰＬＳノード１４０による第１のＴＭＰＬＳ  ＯＡＭフレーム１５５の受信は、イーサネット（登録商標）ノード１３０に対して適切な応答第２のＴＭＰＬＳ  ＯＡＭフレーム１６０返信メッセージを作成させる、（９）ＴＭＰＬＳノード１４０は、ＴＭＰＬＳネットワーク１１０上でのイーサネット（登録商標）ノード１３０への引渡しのために応答第２のＴＭＰＬＳ  ＯＡＭフレーム１６０を開始する、（１０）ＴＭＰＬＳネットワーク１１０は、応答第２のＴＭＰＬＳ  ＯＡＭフレーム１６０をブリッジ１１５にトランスポートする、（１１）ブリッジ１１５内に配置された連携機能モジュール２４５は、応答第２のＴＭＰＬＳ  ＯＡＭフレーム１６０を受信する、（１２）連携機能モジュール２４５は、応答第２のＴＭＰＬＳ  ＯＡＭフレーム１６０をイーサネット（登録商標）ネットワーク１０５対応型の応答第２のイーサネット（登録商標）ＯＡＭフレーム１６５に変換する、（１３）応答第２のイーサネット（登録商標）ＯＡＭフレーム１６５がブリッジ１１５からイーサネット（登録商標）ネットワーク１０５に対して開始される、（１４）イーサネット（登録商標）ネットワーク１０５は、応答第２のイーサネット（登録商標）ＯＡＭフレーム１６５をイーサネット（登録商標）ノード１３０にトランスポートする、（１５）イーサネット（登録商標）ネットワーク１０５上のイーサネット（登録商標）ノード１３０は、応答第２のイーサネット（登録商標）ＯＡＭフレーム１６５を受信する、（１６）イーサネット（登録商標）ノード１３０は、応答第２のイーサネット（登録商標）ＯＡＭフレーム１６５の受信に応答して、適切な活動を開始する。
【００３２】
ＯＡＭフレームが、連続性検査のためにＴＭＰＬＳノード１４０からイーサネット（登録商標）ノード１３０に対して開始されると仮定すると、終端間接続性障害管理（ＣＦＭ）手順は、連携機能モジュール２４５を用いて、以下のように機能する：（１）ＴＭＰＬＳノード１４０は、ＴＭＰＬＳネットワーク１１０上でのイーサネット（登録商標）ノード１３０への引渡しのために第２のＴＭＰＬＳ  ＯＡＭフレーム１６０を開始する、（２）ＴＭＰＬＳネットワーク１１０は、第２のＴＭＰＬＳ  ＯＡＭフレーム１６０をブリッジ１１５にトランスポートする、（３）ブリッジ１１５内に配置された連携機能モジュール２４５は、第２のＴＭＰＬＳ  ＯＡＭフレーム１６０を受信する、（４）連携機能モジュール２４５は、第２のＴＭＰＬＳ  ＯＡＭフレーム１６０をイーサネット（登録商標）ネットワーク１０５対応型の第２のイーサネット（登録商標）ＯＡＭフレーム１６５に変換する、（５）第２のイーサネット（登録商標）ＯＡＭフレーム１６５がブリッジ１１５からイーサネット（登録商標）ネットワーク１０５に対して開始される、（６）イーサネット（登録商標）ネットワーク１０５は、第２のイーサネット（登録商標）ＯＡＭフレーム１６５をイーサネット（登録商標）ノード１３０にトランスポートする、（７）イーサネット（登録商標）ネットワーク１０５上のイーサネット（登録商標）ノード１３０は、第２のイーサネット（登録商標）ＯＡＭフレーム１６５を受信する、（８）イーサネット（登録商標）ノード１３０は、第２のイーサネット（登録商標）ＯＡＭフレーム１６５の命令に応答して、適切な活動を開始する。
【００３３】
ＯＡＭフレームが、ループバック試験のためにＴＭＰＬＳノード１４０からイーサネット（登録商標）ノード１３０に対して開始されると仮定すると、終端間接続性障害管理（ＣＦＭ）手順は、連携機能モジュール２４５を用いて以下のように機能する：（１）ＴＭＰＬＳノード１４０は、ＴＭＰＬＳネットワーク１１０上でのイーサネット（登録商標）ノード１３０への引渡しのために第２のＴＭＰＬＳ  ＯＡＭフレーム１６０を開始する、（２）ＴＭＰＬＳネットワーク１１０は、第２のＴＭＰＬＳ  ＯＡＭフレーム１６０をブリッジ１１５にトランスポートする、（３）ブリッジ１１５内に配置された連携機能モジュール２４５は、第２のＴＭＰＬＳ  ＯＡＭフレーム１６０を受信する、（４）連携機能モジュール２４５は、第２のＴＭＰＬＳ  ＯＡＭフレーム１６０をイーサネット（登録商標）ネットワーク１０５対応型の第２のイーサネット（登録商標）ＯＡＭフレーム１６５に変換する、（５）第２のイーサネット（登録商標）ＯＡＭフレーム１６５がブリッジ１１５からイーサネット（登録商標）ネットワーク１０５に対して開始される、（６）イーサネット（登録商標）ネットワーク１０５は、第２のイーサネット（登録商標）ＯＡＭフレーム１６５をイーサネット（登録商標）ノード１３０にトランスポートする、（７）イーサネット（登録商標）ネットワーク１０５上のイーサネット（登録商標）ノード１３０は、第２のイーサネット（登録商標）ＯＡＭフレーム１６５を受信する、（８）イーサネット（登録商標）ノード１３０による第２のイーサネット（登録商標）ＯＡＭフレーム１６５の受信は、ＴＭＰＬＳノード１４０に対して適切な応答第１のイーサネット（登録商標）ＯＡＭフレーム１５０返信メッセージを作成させる、（９）イーサネット（登録商標）ノード１３０は、イーサネット（登録商標）ネットワーク１０５上でのＴＭＰＬＳノード１４０への引渡しのために応答第１のイーサネット（登録商標）ＯＡＭフレーム１５０を開始する、（１０）イーサネット（登録商標）ネットワーク１０５は、応答第１のイーサネット（登録商標）ＯＡＭフレーム１５０をブリッジ１１５にトランスポートする、（１１）ブリッジ１１５内に配置された連携機能モジュール２４５は、応答第１のイーサネット（登録商標）ＯＡＭフレーム１５０を受信する、（１２）連携機能モジュール２４５は、応答第１のイーサネット（登録商標）ＯＡＭフレーム１５０をＴＭＰＬＳネットワーク１１０対応型の応答第１のＴＭＰＬＳ  ＯＡＭフレーム１５５に変換する、（１３）応答第１のＴＭＰＬＳ  ＯＡＭフレーム１５５がブリッジ１１５からＴＭＰＬＳネットワーク１１０に対して開始される、（１４）ＴＭＰＬＳネットワーク１１０は、応答第１のＴＭＰＬＳイーサネット（登録商標）ＯＡＭフレーム１５５をＴＭＰＬＳノード１４０にトランスポートする、（１５）ＴＭＰＬＳネットワーク１１０上のＴＭＰＬＳノード１４０は、応答第１のＴＭＰＬＳ  ＯＡＭフレーム１５５を受信する、（１６）ＴＭＰＬＳノード１４０は、応答第１のＴＭＰＬＳ  ＯＡＭフレーム１５５の受信に応答して、適切な活動を開始する。
【００３４】
トランスポートマルチプロトコルラベルスイッチネットワーク１１０に関する現在の予備仕様は、接続性障害管理に関する連続性試験プロトコルおよびループバック試験プロトコルをサポートする。連携機能モジュール２４５に関して本明細書で開示される原理は、連続性試験およびループバック試験に加えて、その他のタイプのＯＡＭメッセージに適用され得る。連携機能モジュール２４５は、イーサネット（登録商標）ＶＬＡＮ経路選択ラベルとＴＭＰＬＳ経路選択ラベルの間の関連するマッピング情報を保持する。このマッピング情報は、ブリッジ１１５内のメモリ２４７内のデータベース、表、またはその他のメモリ構造の中に維持され得る。
【００３５】
図３は、図２の連携機能モジュール２４５のブロック図である。図３の代表的な実施形態では、連携機能モジュール２４５は、第１の論理モジュール３１０と、第２の論理モジュール３２０とを備える。イーサネット（登録商標）ノード１３０からイーサネット（登録商標）ネットワーク１０５によって運ばれる信号は、第１の通信媒体１２０上で連携機能モジュール２４５によって受信され、イーサネット（登録商標）ノード１３０に対してイーサネット（登録商標）ネットワーク１０５によって運ばれる信号は、第１の通信媒体１２０上で連携機能モジュール２４５から送信される。ＴＭＰＬＳノード１４０からＴＭＰＬＳネットワーク１１０によって運ばれる信号は、第２の通信媒体１２５上で連携機能モジュール２４５によって受信され、ＴＭＰＬＳノード１４０に対してＴＭＰＬＳネットワーク１１０によって運ばれる信号は、第２の通信媒体１２５上で連携機能モジュール２４５から送信される。
【００３６】
必要に応じて、イーサネット（登録商標）ノード１３０はイーサネット（登録商標）ネットワーク１０５を介したトランスポートの後で、ブリッジ１１５によって受信される第１のイーサネット（登録商標）ＯＡＭフレーム１５０を送信する。受信された第１のイーサネット（登録商標）ＯＡＭフレーム１５０は、第１の論理モジュール３１０によってブリッジ１１５内の第１のＴＭＰＬＳ  ＯＡＭフレーム１５５にマッピングされる。第１のＴＭＰＬＳ  ＯＡＭフレーム１５５は、ブリッジ１１５からＴＭＰＬＳネットワーク１１０上で開始され、後に、ＴＭＰＬＳネットワーク１１０を介したトランスポートの後でＴＭＰＬＳノード１４０によって受信される。
【００３７】
必要に応じて、ＴＭＰＬＳノード１４０は、ＴＭＰＬＳネットワーク１１０を介したトランスポートの後で、ブリッジ１１５によって受信される第２のＴＭＰＬＳ  ＯＡＭフレーム１６０を送信する。受信された第２のＴＭＰＬＳ  ＯＡＭフレーム１６０は、第２の論理モジュール３２０によってブリッジ１１５内の第２のイーサネット（登録商標）ＯＡＭフレーム１６５にマッピングされる。第２のイーサネット（登録商標）ＯＡＭフレーム１６５は、ブリッジ１１５からイーサネット（登録商標）ネットワーク１０５上で開始され、後で、イーサネット（登録商標）ネットワーク１０５を介したトランスポートの後で、イーサネット（登録商標）ノード１３０によって受信される。
【００３８】
図４は、図３の第１の論理モジュール３１０によって変換された、第１のイーサネット（登録商標）運用、管理および保守フレーム１５０ならびに第１のトランスポートマルチプロトコルラベルスイッチング運用、管理および保守フレーム１５５のブロック図である。ＴＭＰＬＳ  ＯＡＭシステムは現在開発中であるため、図４は、対応するフィールドをイーサネット（登録商標）プロトコルからトランスポートマルチプロトコルラベルスイッチプロトコルにマッピングする概念を例示する。特定のフィールドの特定の位置は、最終的に、ＴＭＰＬＳ  ＯＡＭシステムに関する最終仕様に応じて異なり得る。図４の代表的な実施形態では、第１のイーサネット（登録商標）ＯＡＭフレーム１５０は、媒体アクセス制御ヘッダ４０５と、イーサネット（登録商標）運用、管理および保守プロトコルデータユニット４１０とを備える。媒体アクセス制御ヘッダ４０５は、本明細書において、ＭＡＣヘッダ４０５と呼ばれる場合があり、イーサネット（登録商標）運用、管理および保守プロトコルデータユニット４１０は、本明細書において、イーサネット（登録商標）ＯＡＭ  ＰＤＵ４１０と呼ばれる場合がある。
【００３９】
ＭＡＣヘッダ４０５は、宛先アドレスフィールド（ＤＡフィールド）４１５と、発信源アドレスフィールド（ＳＡフィールド）４２０と、イーサタイプラベルフィールド４２５と、ＶＬＡＮラベルフィールド４３０とを備える。イーサネット（登録商標）ＯＡＭ  ＰＤＵ４１０は、オペレーションコードフィールド（Ｏｐコードフィールド）４３５と、イーサネット（登録商標）メンテナンスエンティティレベルフィールド４４０と、イーサネット（登録商標）運用、管理および保守データフィールド４４５とを備える。イーサネット（登録商標）メンテナンスエンティティレベルフィールド４４０は、本明細書において、イーサネット（登録商標）ＭＥＬフィールド４４０と呼ばれる場合もあり、イーサネット（登録商標）運用、管理および保守データフィールド４４５は、イーサネット（登録商標）ＯＡＭデータフィールド４４５と呼ばれる場合もある。
【００４０】
宛先アドレスフィールド４１５内の値は、どの（１つまたは複数の）局が第１のイーサネット（登録商標）ＯＡＭフレーム１５０内のデータを受信すべきかを識別する。宛先アドレスフィールド４１５内の値は、単一の局、定義された局のグループ、またはそのネットワーク上のすべての局を識別し得る。発信源アドレスフィールド４２０内の値は、第１のイーサネット（登録商標）ＯＡＭフレーム１５０を送っている局を識別する。イーサタイプラベルフィールド４２５内の値は、どのプロトコルが第１のイーサネット（登録商標）ＯＡＭフレーム１５０内でトランスポートされているかを示す。また、ＶＬＡＮラベルフィールド４３０内の値は、発信源アドレスフィールド４２０内の値によって識別された発信局が属する仮想または論理ローカルエリアネットワーク（ＬＡＮ）を識別する。オペレーションコードフィールド４３５内の値は、第１のイーサネット（登録商標）ＯＡＭフレーム１５０の受信時に実行されることになる（１つまたは複数の）活動をさらに識別する。イーサネット（登録商標）ＭＥＬフィールド４４０内の値は、第１のイーサネット（登録商標）ＯＡＭフレーム１５０のレベルを特定する。イーサネット（登録商標）ＯＡＭデータフィールド４４５は、実行されることになる特定の運用、管理および保守活動に関連するデータを備える。
【００４１】
また、図４の代表的な実施形態では、第１のＴＭＰＬＳ  ＯＡＭフレーム１５５は、トランスポートマルチプロトコルラベルスイッチ運用、管理および保守ヘッダ４５５と、トランスポートマルチプロトコルラベルスイッチ運用、管理および保守プロトコルデータユニット４６０とを備える。トランスポートマルチプロトコルラベルスイッチ運用、管理および保守ヘッダ４５５は、本明細書において、ＴＭＰＬＳ  ＯＡＭヘッダ４５５と呼ばれる場合もある。トランスポートマルチプロトコルラベルスイッチ運用、管理および保守プロトコルデータユニット４６０は、本明細書において、ＴＭＰＬＳ  ＯＡＭ  ＰＤＵ４６０と呼ばれる場合もある。
【００４２】
ＴＭＰＬＳ  ＯＡＭヘッダ４５５は、トンネルラベルフィールド４６５と、擬似ワイヤラベルフィールド４７０と、タンデム接続フィールド４７５と、ラベル１４フィールド４８０とを備える。擬似ワイヤラベルフィールド４７０は、本明細書において、ＰＷラベルフィールド４７０と呼ばれる場合もあり、タンデム接続ラベルフィールド４７５は、本明細書において、ＴＣラベルフィールド４７５およびＴＣＬフィールド４７５と呼ばれる場合もある。ＴＭＰＬＳ  ＯＡＭ  ＰＤＵ４６０は、機能タイプフィールド４８５と、トランスポートマルチプロトコルラベルスイッチ運用、管理および保守メンテナンスエンティティレベルラベルフィールド４９０と、特別トランスポートマルチプロトコルラベルスイッチ運用、管理および保守フィールド４９５と、トランスポートマルチプロトコルラベルスイッチ運用、管理および保守データフィールド４９８とを備える。トランスポートマルチプロトコルラベルスイッチ運用、管理および保守メンテナンスエンティティレベルラベルフィールド４９０は、本明細書において、ＴＭＰＬＳ  ＯＡＭ  ＭＥＬラベルフィールド４９０と呼ばれる場合もある。特別トランスポートマルチプロトコルラベルスイッチ運用、管理および保守フィールド４９５は、本明細書において、特別ＴＭＰＬＳ  ＯＡＭフィールド４９５と呼ばれる場合もある。トランスポートマルチプロトコルラベルスイッチ運用、管理および保守データフィールド４９８は、本明細書において、ＴＭＰＬＳ  ＯＡＭデータフィールド４９８と呼ばれる場合もある。
【００４３】
機能タイプフィールド４８５内の値は、第１のＴＭＰＬＳ  ＯＡＭフレーム１５５のタイプをさらに識別する。ＴＭＰＬＳ  ＭＥＬラベルフィールド４９０内の値は、「０００」の値を有する、メモリ２４７内のデフォルト情報２４９内に見出される。特別ＴＭＰＬＳ  ＯＡＭフィールド４９５内の値は、フレームの発信源アドレスと、そのフレームに関するメンテナンス関連終点（ＭＥＰ）アドレスまたはメンテナンス関連中間点（ＭＩＰ）アドレスであり得る宛先アドレスとを備える。ＴＭＰＬＳ  ＯＡＭデータフィールド４９８は、実行されることになる特定の運用、管理および保守活動に関連するデータを備える。
【００４４】
第１の論理モジュール３１０は、以下によって、第１のイーサネット（登録商標）ＯＡＭフレーム１５０を第１のＴＭＰＬＳ  ＯＡＭフレーム１５５にマッピングする。すなわち、（１）宛先アドレスフィールド４１５内および発信源アドレスフィールド４２０内の値を特別ＴＭＰＬＳ  ＯＡＭフィールド４９５内の値にマッピングすること、（２）イーサタイプラベルフィールド４２５内の値を、ラベル１４フィールド４８０内の値にマッピングすること、（３）ＶＬＡＮラベルフィールド４３０内の値をトンネルラベルフィールド４６５内および擬似ワイヤラベルフィールド４７０内の値にマッピングすること、（４）オペレーションコードフィールド４３５内の値を機能タイプフィールド４８５内の値にマッピングすること、（５）イーサネット（登録商標）ＭＥＬフィールド４４０内の値をタンデム接続ラベルフィールド４７５内の値にマッピングすること、および（５）ＴＭＰＬＳ  ＯＡＭ  ＭＥＬラベルフィールド４９０内の値を「０００」のデフォルト値に等しく設定することによってである。
【００４５】
第１の制御パラメータフィールド４０１は、宛先アドレスフィールド４１５と、発信源アドレスフィールド４２０と、イーサタイプラベルフィールド４２５と、ＶＬＡＮラベルフィールド４３０と、オペレーションコードフィールド４３５と、イーサネット（登録商標）ＭＥＬフィールド４４０とを備える。第２の制御パラメータフィールド４０２は、トンネルラベルフィールド４６５と、擬似ワイヤラベルフィールド４７０と、ＴＣＬフィールド４７５と、ラベル１４フィールド４８０と、機能タイプフィールド４８５と、ＴＭＰＬＳ  ＯＡＭ  ＭＥＬラベルフィールド４９０と、特別ＴＭＰＬＳ  ＯＡＭフィールド４９５とを備える。
【００４６】
図５は、図３の第２の論理モジュール３２０によって変換された、第２のトランスポートマルチプロトコルラベルスイッチ運用、管理および保守フレーム１６０ならびに第２のイーサネット（登録商標）運用、管理および保守フレーム１６５のブロック図である。ＴＭＰＬＳ  ＯＡＭシステムは現在開発中であるため、図５は、対応するフィールドをトランスポートマルチプロトコルラベルスイッチプロトコルからイーサネット（登録商標）プロトコルにマッピングする概念を例示する。特定のフィールドの特定の位置は、最終的に、ＴＭＰＬＳ  ＯＡＭシステムに関する最終仕様に応じて異なり得る。図５の代表的な実施形態では、第２のＴＭＰＬＳ  ＯＡＭフレーム１６０は、ＴＭＰＬＳ  ＯＡＭヘッダ４５５と、ＴＭＰＬＳ  ＯＡＭ  ＰＤＵ４６０とを備える。
【００４７】
ＴＭＰＬＳ  ＯＡＭヘッダ４５５は、トンネルラベルフィールド４６５と、擬似ワイヤラベルフィールド４７０と、タンデム接続ラベルフィールド４７５と、ラベル１４フィールド４８０とを備える。ＴＭＰＬＳ  ＯＡＭ  ＰＤＵ４６０は、機能タイプフィールド４８５と、ＴＭＰＬＳ  ＯＡＭ  ＭＥＬラベルフィールド４９０と、特別ＴＭＰＬＳ  ＯＡＭフィールド４９５と、ＴＭＰＬＳ  ＯＡＭデータフィールド４９８とを備える。
【００４８】
機能タイプフィールド４８５内に格納された値は、第２のＴＭＰＬＳ  ＯＡＭフレーム１６０のタイプをさらに識別する。ＴＭＰＬＳ  ＯＡＭ  ＭＥＬラベルフィールド４９０内に格納された値は、デフォルト値「０００」に設定される。特別ＴＭＰＬＳ  ＯＡＭフィールド４９５は、そのフレームの発信源アドレスと、メンテナンス関連終点（ＭＥＰ）アドレスまたはメンテナンス関連中間点（ＭＩＰ）アドレスであり得る、そのフレームに関する宛先アドレスとを備える。ＴＭＰＬＳ  ＯＡＭデータフィールド４９８のコンテンツは、実行されることになる特定の運用、管理および保守活動に関連するデータを備える。
【００４９】
また、図５の代表的な実施形態では、第２のイーサネット（登録商標）ＯＡＭフレーム１６５は、媒体アクセス制御ヘッダ４０５と、イーサネット（登録商標）運用、管理および保守プロトコルデータユニット４１０とを備える。ＭＡＣヘッダ４０５は、宛先アドレスフィールド（ＤＡフィールド）４１５と、発信源アドレスフィールド（ＳＡフィールド）４２０と、イーサタイプラベルフィールド４２５と、ＶＬＡＮラベルフィールド４３０とを備える。イーサネット（登録商標）ＯＡＭ  ＰＤＵ４１０は、オペレーションコードフィールド（Ｏｐコードフィールド）４３５と、イーサネット（登録商標）メンテナンスエンティティレベルフィールド４４０と、イーサネット（登録商標）運用、管理および保守データフィールド４４５とを備える。
【００５０】
宛先アドレスフィールド４１５内の値は、どの（１つまたは複数の）局が第２のイーサネット（登録商標）ＯＡＭフレーム１６５内のデータを受信すべきかを識別する。宛先アドレスフィールド４１５内の値は、単一の局、定義された局のグループ、またはそのネットワーク上のすべての局を識別し得る。発信源アドレスフィールド４２０内の値は、第２のＴＭＰＬＳ  ＯＡＭフレーム１６０を送っている局を識別する。イーサネット（登録商標）タイプラベルフィールド４２５内の値は、どのプロトコルが第２のイーサネット（登録商標）ＯＡＭフレーム１６５内でトランスポートされているかを示す。また、ＶＬＡＮラベルフィールド４３０内の値は、発信源アドレスフィールド４２０内の値によって識別された発信局が属する仮想または論理ローカルエリアネットワーク（ＬＡＮ）を識別する。また、オペレーションコードフィールド４３５内の値は、第２のイーサネット（登録商標）ＯＡＭフレーム１６５のタイプをさらに識別する。イーサネット（登録商標）ＭＥＬフィールド４４０内の値は、第２のイーサネット（登録商標）ＯＡＭフレーム１６５のレベルを特定する。イーサネット（登録商標）ＯＡＭデータフィールド４４５は、実行されることになる特定の運用、管理および保守活動に関連するデータを備える。
【００５１】
第２の論理モジュール３２０は、以下によって、第２のＴＭＰＬＳ  ＯＡＭフレーム１６０を第２のイーサネット（登録商標）ＯＡＭフレーム１６５にマッピングする。すなわち、（１）トンネルラベルフィールド４６５内および擬似ワイヤラベルフィールド４７０内の値をＶＬＡＮラベルフィールド４３０内の値にマッピングすること、（２）タンデム接続ラベルフィールド４７５内の値をイーサネット（登録商標）ＭＥＬフィールド４４０内の値にマッピングすること、（３）ラベル１４フィールド４８０内の値をイーサタイプラベルフィールド４２５内の値にマッピングすること、（４）機能タイプフィールド４８５内の値をオペレーションコードフィールド４３５内の値にマッピングすること、ならびに（５）特別ＴＭＰＬＳ  ＯＡＭフィールド４９５内の値を宛先アドレスフィールド４１５内および発信源アドレスフィールド４２０内の値にマッピングすることによってである。
【００５２】
第３の制御パラメータフィールド４０３は、トンネルラベルフィールド４６５と、擬似ワイヤラベルフィールド４７０と、ＴＣＬフィールド４７５と、ラベル１４フィールド４８０と、機能タイプフィールド４８５と、ＴＭＰＬＳ  ＯＡＭ  ＭＥＬラベルフィールド４９０と、特別ＴＭＰＬＳ  ＯＡＭフィールド４９５とを備える。第４の制御パラメータフィールド４０４は、宛先アドレスフィールド４１５と、発信源アドレスフィールド４２０と、イーサタイプラベルフィールド４２５と、ＶＬＡＮラベルフィールド４３０と、オペレーションコードフィールド４３５と、イーサネット（登録商標）ＭＥＬフィールド４４０とを備える。
【００５３】
図６は、図１および図２のイーサネット（登録商標）／トランスポートマルチプロトコルラベルスイッチハイブリッドネットワーク１００において、運用、管理および保守フレーム１５０、１５５をイーサネット（登録商標）ノード１３０からトランスポートマルチプロトコルラベルスイッチノード１４０にトランスポートするための方法６００の流れ図である。図６のブロック６１０で、イーサネット（登録商標）ノード１３０は、第１のイーサネット（登録商標）ＯＡＭフレーム１５０を作成し、作成された第１のイーサネット（登録商標）ＯＡＭフレーム１５０をイーサネット（登録商標）ネットワーク１０５に送信する。イーサネット（登録商標）ネットワーク１０５を介したトランスポートの場合、第１のイーサネット（登録商標）ＯＡＭフレーム１５０は、第１の搬送波１７０の形で具体化される。次いで、ブロック６１０は制御をブロック６２０に移す。ブロック６２０で、第１のイーサネット（登録商標）ＯＡＭフレーム１５０は、ブリッジ１１５によってイーサネット（登録商標）ネットワーク１０５から受信される。次いで、ブロック６２０は制御をブロック６３０に移す。
【００５４】
ブロック６３０で、ブリッジ１１５内の第１の論理モジュール３１０は、第１のＴＭＰＬＳ  ＯＡＭフレーム１５５を作成する。次いで、ブロック６３０は制御をブロック６４０に移す。
【００５５】
ブロック６４０で、第１の論理モジュール３１０は、選択された第１の制御パラメータフィールド４０１内の値を第１のイーサネット（登録商標）ＯＡＭフレーム１５０から第１のＴＭＰＬＳ  ＯＡＭフレーム１５５内の選択された第２の制御パラメータフィールド４０２内の値にマッピングし、必要に応じて、特別ＴＭＰＬＳ  ＯＡＭフィールド４９５を第１のＴＭＰＬＳ  ＯＡＭフレーム１５５に追加する。第１のＴＭＰＬＳ  ＯＡＭフレーム１５５にマッピングされた値は、メモリ２４７内に格納された、事前に選択されたデフォルト情報２４９および経路選択情報２４８をさらに備える。次いで、ブロック６４０は制御をブロック６５０に移す。
【００５６】
ブロック６５０で、ブリッジ１１５は、第１のＴＭＰＬＳ  ＯＡＭフレーム１５５をＴＭＰＬＳネットワーク１１０に送信する。ＴＭＰＬＳネットワーク１１０を介したトランスポートの場合、第１のＴＭＰＬＳ  ＯＡＭフレーム１５５は第２の搬送波１７５の形で具体化される。次いで、ブロック６５０は制御をブロック６６０に移す。
【００５７】
ブロック６６０で、第２の搬送波１７５の形で具体化された第１のＴＭＰＬＳ  ＯＡＭフレーム１５５がＴＭＰＬＳノード１４０によってＴＭＰＬＳネットワーク１１０から受信される。次いで、ブロック６６０は制御をブロック６７０に移す。
【００５８】
ブロック６７０で、ＴＭＰＬＳノード１４０によって受信された第１のＴＭＰＬＳ  ＯＡＭフレーム１５５のコンテンツに応じて、ＴＭＰＬＳノード１４０は、（１つまたは複数の）適切な活動を用いて応答する。次いで、ブロック６７０はプロセスを終了する。
【００５９】
図７は、図６のマッピングステップ６４０に関する方法７００のより詳細な流れ図である。図７に示された方法７００のブロック７１０では、宛先アドレスフィールド４１５内の値は、特別ＴＭＰＬＳ  ＯＡＭフィールド４９５の一部内の値にマッピングされる。次いで、ブロック７１０は制御をブロック７２０に移す。
【００６０】
ブロック７２０で、発信源アドレスフィールド４２０内の値は、特別ＴＭＰＬＳ  ＯＡＭフィールド４９５の別の部分内の値にマッピングされる。次いで、ブロック７２０は制御をブロック７３０に移す。ブロック７３０で、イーサタイプラベルフィールド４２５内の値は、ラベル１４フィールド４８０内の値にマッピングされる。次いで、ブロック７３０は制御をブロック７４０に移す。
【００６１】
ブロック７４０で、ＶＬＡＮラベルフィールド４３０内の値は、トンネルラベルフィールド４６５内および擬似ワイヤラベルフィールド４７０内の値にマッピングされる。次いで、ブロック７４０は制御をブロック７５０に移す。
【００６２】
ブロック７５０で、オペレーションコードフィールド４３５内の値は、機能タイプフィールド４８５内の値にマッピングされる。次いで、ブロック７５０は制御をブロック７６０に移す。
【００６３】
ブロック７６０で、イーサネット（登録商標）ＭＥＬフィールド４４０内の値は、ＴＣＬフィールド４７５内の値にマッピングされる。次いで、ブロック７６０は制御をブロック７７０に移す。
【００６４】
ブロック７７０で、ＴＭＰＬＳ  ＯＡＭ  ＭＥＬラベルフィールド４９０内の値は、デフォルト値「０００」に等しく設定される。次いで、ブロック７７０はプロセスを終了する。
【００６５】
図８は、図１および図２のイーサネット（登録商標）／トランスポートマルチプロトコルラベルスイッチハイブリッドネットワーク１００において、運用、管理および保守フレーム１６０、１６５をトランスポートマルチプロトコルラベルスイッチノード１４０からイーサネット（登録商標）ノード１３０にトランスポートするための方法８００の流れ図である。図８のブロック８１０で、ＴＭＰＬＳノード１４０は、第２のＴＭＰＬＳ  ＯＡＭフレーム１６０を作成し、作成された第２のＴＭＰＬＳ  ＯＡＭフレーム１６０をＴＭＰＬＳネットワーク１１０に送信する。ＴＭＰＬＳネットワーク１１０を介したトランスポートの場合、第２のＴＭＰＬＳ  ＯＡＭフレーム１６０は第３の搬送波の形で具体化される。次いで、ブロック８１０は制御をブロック８２０に移す。
【００６６】
ブロック８２０で、第２のＴＭＰＬＳ  ＯＡＭフレーム１６０は、ブリッジ１１５によってＴＭＰＬＳネットワーク１１０から受信される。次いで、ブロック８２０は制御をブロック８３０に移す。ブロック８３０で、ブリッジ１１５内の第２の論理モジュール３２０は、第２のイーサネット（登録商標）ＯＡＭフレーム１６５を作成する。次いで、ブロック８３０は制御をブロック８４０に移す。
【００６７】
ブロック８４０で、第２の論理モジュール３２０は、第２のＴＭＰＬＳ  ＯＡＭフレーム１６０から選択された第３の制御パラメータフィールド４０３内の値を第２のイーサネット（登録商標）ＯＡＭフレーム１６５内の選択された第４の制御パラメータフィールド４０４内の値にマッピングする。第２のイーサネット（登録商標）ＯＡＭフレーム１６５にマッピングされた値は、メモリ２４７内に格納された経路選択情報２４８をさらに備える。次いで、ブロック８４０は制御をブロック８５０に移す。
【００６８】
ブロック８５０で、ブリッジ１１５は、第２のイーサネット（登録商標）ＯＡＭフレーム１６５をイーサネット（登録商標）ネットワーク１０５に送信する。イーサネット（登録商標）ネットワーク１０５を介したトランスポートの場合、  第２のイーサネット（登録商標）ＯＡＭフレーム１６５は第４の搬送波１８５の形で具体化される。次いで、ブロック８５０は制御をブロック８６０に移す。
【００６９】
ブロック８６０で、第４の搬送波１８５の形で具体化された第２のイーサネット（登録商標）ＯＡＭフレーム１６５は、イーサネット（登録商標）ノード１３０によってイーサネット（登録商標）ネットワーク１０５から受信される。次いで、ブロック８６０は制御をブロック８７０に移す。
【００７０】
ブロック８７０で、イーサネット（登録商標）ノード１３０によって受信された第２のイーサネット（登録商標）ＯＡＭフレーム１６５のコンテンツに応じて、イーサネット（登録商標）ノード１３０は、（１つまたは複数の）適切な活動を用いて応答する。次いで、ブロック８７０はプロセスを終了する。
【００７１】
図９は、図８のマッピングステップ８４０に関する方法９００のより詳細な流れ図である。図９に示される方法９００のブロック９１０で、トンネルラベルフィールド４６５および擬似ワイヤラベルフィールド４７０は、ＶＬＡＮラベルフィールド４３０にマッピングされる。次いで、ブロック９１０は制御をブロック９２０に移す。
【００７２】
ブロック９２０で、ＴＣＬフィールド４７５は、イーサネット（登録商標）ＭＥＬフィールド４４０にマッピングされる。次いで、ブロック９２０は制御をブロック９３０に移す。
【００７３】
ブロック９３０で、ラベル１４フィールド４８０は、イーサタイプラベルフィールド４２５にマッピングされる。次いで、ブロック９３０は制御をブロック９４０に移す。
【００７４】
ブロック９４０で、機能タイプフィールド４８５は、オペレーションコードフィールド４３５にマッピングされる。次いで、ブロック９４０は制御をブロック９５０に移す。
【００７５】
ブロック９５０で、特別ＴＭＰＬＳ  ＯＡＭフィールド４９５の一部が宛先アドレスフィールド４１５にマッピングされる。次いで、ブロック９５０は制御をブロック９６０に移す。
【００７６】
ブロック９６０で、特別ＴＭＰＬＳ  ＯＡＭフィールド４９５の別の部分が発信源アドレスフィールド４２０にマッピングされる。次いで、ブロック９６０はプロセスを終了する。
【００７７】
同様に、多くのデータ処理製品において、上で説明された様々なシステムおよび構成要素は、ハードウェア、ファームウェア、ソフトウェア、ハードウェア／ファームウェアの組合せ、ハードウェア／ソフトウェアの組合せ、  ファームウェア／ソフトウェアの組合せ、およびハードウェア／ファームウェア／ソフトウェアの組合せからなるグループから選択された構造物として実施され得る。さらに、代表的な実施形態の使用のために要求される機能性は、そのように説明された技法に従って実行するために情報処理装置（例えば、図の代表的な実施形態で示される要素を備えるブリッジ１１５）をプログラムする際に使用されることになる（フロッピー（登録商標）ディスク、通常のハードディスク、ＤＶＤ、ＣＤ−ＲＯＭ、フラッシュＲＯＭ、不揮発性ＲＯＭ、ＲＡＭなどの）コンピュータ可読媒体の形で具体化され得る。
【００７８】
「プログラム記憶媒体」および「コンピュータ可読メモリデバイス」という用語は、本明細書において、前述のフロッピー（登録商標）ディスク、通常のハードディスク、ＤＶＤ、ＣＤ−ＲＯＭ、フラッシュＲＯＭ、不揮発性ＲＯＭ、ＲＡＭなどに限定されないが、それらなどの任意の種類のコンピュータメモリを含むように広く定義される。
【００７９】
イーサネット（登録商標）（登録商標）ネットワーク１０５およびトランスポートマルチプロトコルラベルスイッチングネットワーク１１０は、高周波伝送、光波長伝送などに限定されないが、それらなど、それぞれのネットワークに関する仕様と一致する任意のタイプの電磁波によって第１の、第２の、第３の、および第４の搬送波１７０、１７５、１８０、１８５が伝搬するように設計および製作され得る。
【００８０】
代表的な実施形態では、イーサネット（登録商標）／ＴＭＰＬＳハイブリッドネットワーク１００に関する終端間運用、管理および保守機能を可能にするモジュールおよび方法が本明細書で開示される。説明されたこれらの技法は、その関連するリソース要件を有する（１つまたは複数の）状態機械を保持することを必要としない。ブリッジ１１５によって受信されたフレームに関する情報を保持する必要はない。イーサネット（登録商標）ネットワーク１０５をＴＭＰＬＳネットワーク１１０に接続する、ブリッジ１１５内の連携機能モジュール２４５は、イーサネット（登録商標）ネットワーク１０５から受信されたイーサネット（登録商標）ＯＡＭフレーム１５０からのフィールドをＴＭＰＬＳネットワーク１１０に送信されたＴＭＰＬＳ  ＯＡＭフレーム１５５内のフィールドにマッピングする。連携機能モジュール２４５はまた、ＴＭＰＬＳネットワーク１１０から受信されたＴＭＰＬＳ  ＯＡＭフレーム１６０からのフィールドをイーサネット（登録商標）ネットワーク１０５に送信されたイーサネット（登録商標）ＯＡＭフレーム１６５内のフィールドにマッピングする。これらの技法は、イーサネット（登録商標）ネットワークとＴＭＰＬＳネットワークの両方を運用する可能性があるサービスプロバイダのための終端間接続性および障害管理を円滑にする。連携機能モジュール２４５は、プロバイダのＯＡＭフレームだけでなく、接続されたイーサネット（登録商標）ネットワークおよびＴＭＰＬＳネットワーク１０５、１１０の間のカスタマデータおよびＯＡＭフレームの交換もサポートすることが可能である。連携機能モジュール２４５は、イーサネット（登録商標）プロトコルおよびＴＭＰＬＳプロトコルだけに依存しているため、用いられるプラットフォームから独立し得る。
【００８１】
本明細書で詳細に説明されている代表的な実施形態は、限定としてではなく、例として提示されている。当業者は、説明された実施形態の形態および詳細に対して、結果として、依然として添付の特許請求の範囲内にある均等実施形態をもたらす様々な変更を行うことが可能である点を理解されよう。
【図１】
2010514368.tif 000003
【図２】
2010514368.tif 000004
【図３】
2010514368.tif 000005
【図４】
2010514368.tif 000006
【図５】
2010514368.tif 000007
【図６】
2010514368.tif 000008
【図７】
2010514368.tif 000009
【図８】
2010514368.tif 000010
【図９】
2010514368.tif 000011
【国際調査報告】
2010514368.tif 000012
2010514368.tif 000013